(57)【要約】【課題】インターネットラジオサービスを、楽曲スキップを制限されることなく利用し可能とする「インターネットラジオ受信装置」を提供する。【解決手段】ＡＶ装置１は、過去時間Ｍ以内に、現在の受信ステーションが受信ステーションとなっているときに、インターネットラジオサーバ４にスキップコマンドを発行した回数が、楽曲スキップの制限上限値Ｎ以下であれば、スキップコマンドを、Ｎ超であれば、ステーション新規作成コマンドを、携帯装置２を介してインターネットラジオサーバ４に発行する。ステーション新規作成コマンドを受け取ったインターネットラジオサーバ４は、新規ステーションを作成すると共に、作成した新規ステーションを以降の受信ステーションに設定する。【選択図】図１
2012060307.tif 000002
【特許請求の範囲】
【請求項１】
インターネットラジオサーバを利用するインターネットラジオ受信装置であって、
前記インターネットラジオサーバは、
前記インターネットラジオ受信装置から受信を要求されたステーションを当該インターネットラジオ受信装置に対して受信ステーションとして設定する受信ステーション設定機能と、
前記インターネットラジオ受信装置に当該インターネットラジオ受信装置に対して受信ステーションとして設定されているステーションに関連づけられた複数の楽曲を順次配信する配信機能と、
前記インターネットラジオ受信装置が発行したスキップコマンドを受信したときに、過去所定時間長の期間中において、当該インターネットラジオ受信装置に現在受信ステーションとして設定しているステーションと同じステーションが、当該インターネットラジオ受信装置に受信ステーションとして設定されているときに、当該インターネットラジオ受信装置に配信する楽曲を次の楽曲に切り替える楽曲スキップを行った回数が所定の制限回数以下である場合に、当該インターネットラジオ受信装置に配信する楽曲を次の楽曲に切り替える楽曲スキップを実行するスキップ機能と、
前記インターネットラジオ受信装置からステーション新規作成コマンドを受信したときに、新たなステーションを作成して当該インターネットラジオ受信装置の受信ステーションに設定する新規ステーション作成機能とを備えたものであり、
当該インターネットラジオ受信装置は、
ユーザから選択されたステーションの受信を前記インターネットラジオサーバに要求するステーション受信要求手段と、
前記インターネットラジオサーバから配信された各楽曲を出力する出力部と、
ユーザの新規ステーション作成操作に応答して、前記ステーション新規作成コマンドを前記インターネットラジオサーバに発行する新規ステーション作成要求手段と、
ユーザの楽曲スキップ操作を受け付けたときに、過去所定時間長の期間中において、当該インターネットラジオ受信装置に現在受信ステーションとして設定されているステーションと同じステーションが、当該インターネットラジオ受信装置に受信ステーションとして設定されているときに、前記インターネットラジオサーバの前記スキップ機能によって行われた当該インターネットラジオ受信装置に配信する楽曲を次の楽曲に切り替える楽曲スキップの回数が前記制限回数未満であるか否を判定し、前記制限回数未満である場合に、スキップコマンドを前記インターネットラジオサーバに発行し、前記制限回数未満でない場合に、前記ステーション新規作成コマンドを前記インターネットラジオサーバに発行するスキップ制御部とを有することを特徴とするインターネットラジオ受信装置。
【請求項２】
請求項１記載のインターネットラジオ受信装置であって、
前記インターネットラジオサービスの新規ステーション作成機能において、前記インターネットラジオ受信装置からステーション新規作成コマンドを受信したときに作成される新たなステーションは、前記インターネットラジオ受信装置においてステーション新規作成コマンドを発行した際に出力中であった楽曲に似た楽曲、もしくは、当該出力中であった楽曲のアーティストに似たアーティストの楽曲を関連づけたステーションであることを特徴とするインターネットラジオ受信装置。
【請求項３】
請求項１記載のインターネットラジオ受信装置であって、
前記スキップ制御手段は、ユーザの楽曲スキップ操作を受け付けたときに、前記ステーション新規作成コマンドを前記インターネットラジオサーバに発行する際に、当該スキップボタンの操作受付の直前に楽曲の最後まで出力が完了した楽曲の識別情報、もしくは、当該楽曲のアーティストの識別情報を発行するステーション新規作成コマンドに含め、
前記インターネットラジオサービスの新規ステーション作成機能において、前記インターネットラジオ受信装置からステーション新規作成コマンドを受信したときに作成される新たなステーションは、当該ステーション新規作成コマンドに含まれる識別情報が示す楽曲似た楽曲、もしくは、当該識別情報が示すアーティストに似たアーティストの楽曲を関連づけたステーションであることを特徴とするインターネットラジオ受信装置。
【請求項４】
コンピュータによって読み取られ実行されるコンピュータプログラムであって、
当該コンピュータプログラムは、前記コンピュータを請求項１、２または３記載のインターネットラジオ受信装置として機能させることを特徴とするコンピュータプログラム。
【発明の詳細な説明】
【技術分野】
【０００１】
本発明は、インターネットラジオの受信を行うインターネットラジオ受信装置における操作制限に関する技術についてのものである。
【背景技術】
【０００２】
ＡＶコンテンツを出力するＡＶ装置における操作制限に関する技術としては、再生可能回数に制限のあるＡＶコンテンツを再生する再生装置において、ＡＶコンテンツの再生が指示されたときに、当該ＡＶコンテンツの再生可能回数が残っている場合に、当該ＡＶコンテンツの再生を行うと共に、当該ＡＶコンテンツの残再生可能回数を数値やグラフで表示する技術が知られている（たとえば、特許文献１）。
【先行技術文献】
【特許文献】
【０００３】
【特許文献１】特開２００１-０５６７８４号公報
【発明の概要】
【発明が解決しようとする課題】
【０００４】
インターネットラジオ受信装置のユーザによって受信ステーションとして選択されたステーションに関連づけられた複数の楽曲を順次インターネットを介して当該インターネットラジオ受信装置にストリーミング配信するインターネットラジオサービスは、インターネットラジオ受信装置に対するユーザのスキップ操作に応じて、ストリーミング配信する楽曲を現在配信中の次の楽曲に切り替える楽曲スキップの機能を備えていることが一般的である。また、このようなインターネットラジオサービスは、同一ステーション受信中の楽曲のスキップ回数を所定回数以内に制限していることがある。
【０００５】
そして、このような楽曲のスキップ回数の制限を設けているインターネットラジオサービスを利用するインターネットラジオ受信装置のユーザは、ある一つのステーション受信中に実行した楽曲スキップがスキップ回数の制限の上限値に達した場合、以降もインターネットラジオサービスの楽曲スキップ機能を利用しつつ、インターネットラジオサービスから配信される楽曲の受信を続けたい場合には、受信ステーションとするステーションを切り替える特段の操作を行う必要がある。
【０００６】
一方で、車載のインターネットラジオ受信装置においては、運転者であるユーザの操作の必要性をできるだけ排除することが好ましい。
そこで、本発明は、ユーザの特段の操作を必要とすることなく、ユーザが、楽曲のスキップ回数の制限を設けているインターネットラジオサービスを、楽曲スキップ回数を制限されることなく利用し続けることのできるインターネットラジオ受信装置を提供することを課題とする。
【課題を解決するための手段】
【０００７】
前記課題達成のために、本発明は、インターネットラジオ受信装置から受信を要求されたステーションを当該インターネットラジオ受信装置に対して受信ステーションとして設定する受信ステーション設定機能と、前記インターネットラジオ受信装置に当該インターネットラジオ受信装置に対して受信ステーションとして設定されているステーションに関連づけられた複数の楽曲を順次配信する配信機能と、前記インターネットラジオ受信装置が発行したスキップコマンドを受信したときに、過去所定時間長の期間中において、当該インターネットラジオ受信装置に現在受信ステーションとして設定しているステーションと同じステーションが、当該インターネットラジオ受信装置に受信ステーションとして設定されているときに、当該インターネットラジオ受信装置に配信する楽曲を次の楽曲に切り替える楽曲スキップを行った回数が所定の制限回数以下である場合に、当該インターネットラジオ受信装置に配信する楽曲を次の楽曲に切り替える楽曲スキップを実行するスキップ機能と、前記インターネットラジオ受信装置からステーション新規作成コマンドを受信したときに、新たなステーションを作成して当該インターネットラジオ受信装置の受信ステーションに設定する新規ステーション作成機能とを備えたインターネットラジオサーバを利用するインターネットラジオ受信装置に、ユーザから選択されたステーションの受信を前記インターネットラジオサーバに要求するステーション受信要求手段と、前記インターネットラジオサーバから配信された各楽曲を出力する出力部と、ユーザの新規ステーション作成操作に応答して、前記ステーション新規作成コマンドを前記インターネットラジオサーバに発行する新規ステーション作成要求手段と、ユーザの楽曲スキップ操作を受け付けたときに、過去所定時間長の期間中において、当該インターネットラジオ受信装置に現在受信ステーションとして設定されているステーションと同じステーションが、当該インターネットラジオ受信装置に受信ステーションとして設定されているときに、前記インターネットラジオサーバの前記スキップ機能によって行われた当該インターネットラジオ受信装置に配信する楽曲を次の楽曲に切り替える楽曲スキップの回数が前記制限回数未満であるか否を判定し、前記制限回数未満である場合に、スキップコマンドを前記インターネットラジオサーバに発行し、前記制限回数未満でない場合に、前記ステーション新規作成コマンドを前記インターネットラジオサーバに発行するスキップ制御部とを備えたものである。
【０００８】
このようなインターネット受信装置によれば、楽曲スキップの回数が制限回数に達したならば、ユーザの楽曲スキップ操作に応答して楽曲スキップではなく、新規ステーションの作成による受信ステーション切り替えの処理を行う。そして、新規ステーションの受信開始時には当該新規ステーション受信中の楽曲スキップの実行回数は０となるので、新規ステーションの受信開始以降、ユーザは再度、楽曲スキップを利用できるようになる。また、このステーションの切り替わりによる出力楽曲の変化は、楽曲のスキップ時と同様のものとなるため、ユーザに特段の違和感を生じさせることもない。
【０００９】
ここで、このようなインターネットラジオ受信装置は、前記インターネットラジオサービスの新規ステーション作成機能において、前記インターネットラジオ受信装置からステーション新規作成コマンドを受信したときに作成される新たなステーションが、前記インターネットラジオ受信装置においてステーション新規作成コマンドを発行した際に出力中であった楽曲に似た楽曲、もしくは、当該出力中であった楽曲のアーティストに似たアーティストの楽曲を関連づけたステーションとなるように構成してもよい。
【００１０】
または、このようなインターネットラジオ受信装置は、前記スキップ制御手段において、ユーザの楽曲スキップ操作を受け付けたときに、前記ステーション新規作成コマンドを前記インターネットラジオサーバに発行する際に、当該スキップボタンの操作受付の直前に楽曲の最後まで出力が完了した楽曲の識別情報、もしくは、当該楽曲のアーティストの識別情報を発行するステーション新規作成コマンドに含め、前記インターネットラジオサービスの新規ステーション作成機能において、前記インターネットラジオ受信装置からステーション新規作成コマンドを受信したときに前記新たなステーションとして、当該新規作成コマンドに含まれる識別情報が示す楽曲に似た楽曲、もしくは、当該識別情報が示すアーティストに似たアーティストの楽曲を関連づけたステーションを作成するように構成してもよい。
【００１１】
これらのようにすることにより、インターネットラジオサーバにおいてステーション新規作成コマンドに応答して作成される新規ステーションを、その前に受信していたステーションと類似したものとすることできる。
【発明の効果】
【００１２】
以上のように、本発明によれば、ユーザの特段の操作を必要とすることなく、ユーザが、楽曲のスキップ回数の制限を設けているインターネットラジオサービスを、楽曲スキップ回数を制限されることなく利用し続けることのできるインターネットラジオ受信装置を提供することができる。
【図面の簡単な説明】
【００１３】
【図１】本発明の第１実施形態に係るＡＶ装置の構成を示すブロック図である。
【図２】本発明の第１実施形態に係るＡＶ装置の表示画面を示す図である。
【図３】本発明の第１実施形態に係るスキップ制御処理を示すフローチャートである。
【図４】本発明の第１実施形態に係るキップ制御処理の処理例を示す図である。
【発明を実施するための形態】
【００１４】
以下、本発明の実施形態について説明する。
図１に、本実施形態に係るＡＶ装置の構成を示す。
ＡＶ装置は自動車に搭載される車載のＡＶ装置であり、図示するように、ＡＶ装置１は、ラジオ放送を受信するチューナ１０１、記憶装置１０２、外部装置インタフェース１０３、ＡＶデコーダ１０４、制御部１０５、出力制御部１０６、表示装置１０７、スピーカ１０８、入力装置１０９とを備えている。
【００１５】
但し、以上のＡＶ装置１は、ハードウエア的には、ＣＰＵや、メモリや、その他の周辺デバイスを有する一般的な構成を備えたコンピュータを利用して構成されるものであって良く、この場合、以上のＡＶ装置１のＡＶデコーダ１０４や制御部１０５や出力制御部１０６などは、ＣＰＵが予め用意されたプログラムを実行することにより具現化するプロセスとして実現されるものであって良い。
【００１６】
ここで、外部装置インタフェース１０３には、携帯装置２を接続することができる。ここで、携帯装置２は、移動電話網やインターネットなどのＷＡＮ３を介してインターネットラジオサービスを提供するインターネットラジオサーバ４にアクセス可能な、移動電話機やスマートフォンなどである。ここで、インターネットラジオサービスは、ステーション（ラジオ局に相当）毎に、当該ステーションに対して設けられたプレイリストに登録された楽曲のストリーミング配信を行うサービスである。
【００１７】
さて、このようなＡＶ装置１の構成において、制御部１０５は、様々なアプリケーションを実行する。この制御部１０５のアプリケーションの実行は、たとえば、記憶装置１０２に記憶されているアプリケーションプログラムを、制御部１０５において実行することにより実現される。
【００１８】
ここで、制御部１０５が実行するアプリケーションとしては、チューナ１０１を入力装置１０９の操作に応じて制御してチューナ１０１で受信したＡＶコンテンツをＡＶデコーダ１０４でデコードして出力制御部１０６を介して表示装置１０７やスピーカ１０８に出力するラジオアプリケーションや、記憶装置１０２に記憶されているＡＶコンテンツをＡＶデコーダ１０４でデコードして出力制御部１０６を介して表示装置１０７やスピーカ１０８に出力するメディアプレイヤアプリケーションや、インターネットラジオエージェントなどがある。
【００１９】
インターネットラジオエージェントは、携帯装置２で実行されるアプリケーションであるインターネットラジオクライアントのＵＩを、ＡＶ装置１の表示装置１０７やスピーカ１０８や入力装置１０９を用いて代行するためのアプリケーションである。
また、携帯装置２で実行されるインターネットラジオクライアントは、インターネットラジオサーバ４にアクセスしてインターネットラジオサーバ４からストリーミング配信される楽曲をストリーミング再生し、出力するアプリケーションである。
そして、この携帯装置２で実行されるインターネットラジオクライアントは、携帯装置２がＡＶ装置１に接続されていないときには、携帯装置２自身が備える内部スピーカを用いて、ストリーミング配信された楽曲の出力を行うと共に、携帯装置２自身が備える表示部や操作部を用いたＧＵＩをユーザに提供し、当該ＧＵＩで受け付けたユーザ操作に応じて、その動作を行う。
【００２０】
一方、携帯装置２で実行されるインターネットラジオクライアントは、携帯装置２がＡＶ装置１に接続されているときには、ストリーミング配信された楽曲を、ＡＶ装置１のインターネットラジオエージェントに送り、ＡＶ装置１のインターネットラジオエージェントは、受け取った楽曲をＡＶデコーダ１０４でデコードして出力制御部１０６を介してスピーカ１０８に出力する。また、ＡＶ装置１のインターネットラジオエージェントは、携帯装置２で実行されるインターネットラジオクライアントから必要な情報を取得しつつ、ＡＶ装置１の表示装置１０７や入力装置１０９を用いたインターネットラジオクライアント用のＧＵＩをユーザに提供し、当該ＧＵＩで受け付けたユーザ操作を、携帯装置２のインターネットラジオクライアントに通知する。そして、携帯装置２のインターネットラジオクライアントは、通知されたユーザ操作に応じて、その動作を行う。
【００２１】
ここで、図２ａ、ｂに、インターネットラジオクライアント用のＧＵＩとして、ＡＶ装置１のインターネットラジオエージェントが表示装置１０７に表示する表示画面を示す。
図２ａは、ステーションの選択画面を表しており、この選択画面には、インターネットラジオサーバ４がＡＶコンテンツの配信を行っているステーションのリスト２０１が表示されている。ユーザは、このステーションのリスト２０１から、所望のステーションを選択して、当該ステーションでインターネットラジオサーバ４が配信するＡＶコンテンツを受信することができる。すなわち、インターネットラジオエージェントは、選択画面でユーザによって選択されたステーションをインターネットラジオクライアントに通知し、インターネットラジオクライアントは、通知されたステーションの受信開始を要求するステーション選択コマンドをインターネットラジオサーバ４に発行する。
【００２２】
ステーション選択コマンドを受信したインターネットラジオサーバ４は、ステーション選択コマンドで受信開始を要求されたステーションを、ステーション選択コマンド発行元のインターネットラジオクライアントの受信ステーションに設定する。なお、ステーション選択コマンドの受信時に、既にステーション選択コマンド発行元のインターネットラジオクライアントの受信ステーションとして設定されているステーションが存在する場合には当該設定を解除した上で、ステーション選択コマンドで受信開始を要求されたステーションを、ステーション選択コマンド発行元のインターネットラジオクライアントの受信ステーションに設定する。
【００２３】
また、インターネットラジオサーバ４は、各インターネットラジオクライアントに、当該インターネットラジオクライアントの受信ステーションとなっているステーションに対して設けられているプレイリストに登録されている各楽曲を順次ストリーミング配信する。
次に、図２ｂは、現在、出力中の楽曲の情報を表す情報画面である。この情報画面は、図２ａの選択画面の矢印アイコン２０２から呼び出すことができる他、ステーションの選択画面で選択したステーションの楽曲の受信が開始されると自動的に呼び出される。
さて、図２ｂの情報画面には、図２ａの選択画面を呼び出すための矢印アイコン２１１、出力中の楽曲の情報２１２が表示される。ここで、楽曲の情報２１２としては、出力中の楽曲に関連づけられたアートワーク（通常は、当該楽曲のジャケット写真）、当該楽曲のタイトルやアルバムやアーティストを表示する。
【００２４】
また、情報画面には、ソング関連ステーション新規作成ボタン２１３、アーティスト関連ステーション新規作成ボタン２１４と、楽曲の再生/一時停止を切り替えるためのボタン２１５、インターネットラジオサーバ４からストリーミング配信を受ける楽曲を一つ次の楽曲に切り替える（スキップする）ためのスキップボタン２１６などが設けられている。
【００２５】
ここで、インターネットラジオエージェントは、情報画面でユーザによってソング関連ステーション新規作成ボタン２１３が操作されると、ソング関連ステーション新規作成操作発生をインターネットラジオクライアントに通知し、通知を受けたインターネットラジオクライアントは、現在出力中の楽曲の識別情報を伴うステーション新規作成コマンドをインターネットラジオサーバ４に要求し、ステーション新規作成コマンドを受信したインターネットラジオサーバ４は、新規ステーションを作成すると共に、ステーション新規作成コマンドに含まれる識別情報が示す楽曲に、インターネットラジオサーバ４の運営者が採用する所定の判断基準において似ている複数の楽曲を登録したプレイリストを作成し、作成したプレイリストを作成した新規ステーションのプレイリストとする。そして、作成した新規ステーションをステーション新規作成コマンド発行元のインターネットラジオクライアントの受信ステーションに設定する。
【００２６】
これにより、以降、ステーション新規作成コマンドを発行したインターネットラジオクライアントにストリーミング配信される楽曲は、新規ステーションのプレイリストに登録されている各楽曲となる。
また、インターネットラジオエージェントは、情報画面でユーザによってアーティスト関連ステーション新規作成ボタン２１４が操作されると、アーティスト関連ステーション新規作成の発生をインターネットラジオクライアントに通知し、通知を受けたインターネットラジオクライアントは、現在出力中の楽曲のアーティストの識別情報を伴うステーション新規作成コマンドをインターネットラジオサーバ４に要求し、ステーション新規作成コマンドを受信した、インターネットラジオサーバ４は、新規ステーションを作成すると共に、ステーション新規作成コマンドに含まれる識別情報が示すアーティストに、インターネットラジオサーバ４の運営者が採用する所定の判断基準において似ているアーティストの各楽曲を登録したプレイリストを作成し、作成したプレイリストを作成した新規ステーションのプレイリストとする。そして、作成した新規ステーションをステーション新規作成コマンド発行元のインターネットラジオクライアントの受信ステーションに設定する。
【００２７】
これにより、以降、ステーション新規作成コマンドを発行したインターネットラジオクライアントにストリーミング配信される楽曲は、新規ステーションのプレイリストに登録されている各楽曲となる。
次に、インターネットラジオエージェントは、情報画面でユーザによってスキップボタン２１６が操作されると、スキップ操作の発生をインターネットラジオクライアントに通知する。ここで、インターネットラジオエージェントは、このスキップ操作の発生の通知を後述するスキップ制御処理において行う。
【００２８】
一方、スキップ操作の発生の通知を受けたインターネットラジオクライアントは、スキップコマンドをインターネットラジオサーバ４に発行し、スキップコマンド発行の旨をインターネットラジオエージェントに応答する。一方、スキップコマンドを受信した、インターネットラジオサーバ４は配信中の楽曲のストリーミング配信を停止し、ステーションのプレイリストにおいて当該配信中の楽曲の次に順番づけられている楽曲からの各楽曲のストリーミング配信を開始する。
【００２９】
さて、ここで、インターネットラジオサーバ４は、各ステーションについて、当該ステーションが受信ステーションとなっているときに受け付けるスキップコマンドの数を、所定の時間Ｍ（たとえば、１時間）あたり所定数Ｎ（たとえば、６回）以内に制限している。
【００３０】
すなわち、ユーザが、ある特定の一つのステーションを受信しながら、スキップボタン２１６によって、所定時間Ｍ内に楽曲をスキップできる回数は所定回数Ｎに制限される。
以下、このようなＡＶ装置１において、インターネットラジオエージェントが行う上述したスキップ制御処理について説明する。
図３に、このスキップ制御処理について説明する。
図示するように、この処理では、ユーザのスキップボタン２１６の操作の発生を監視する（ステップ３０２）。そして、ユーザのスキップボタン２１６の操作が発生したならば、現在の受信ステーションのスキップ操作履歴が記憶装置１０２上に存在するかどうかを調べ（ステップ３０４）、存在する場合にはステップ３０６に進み、存在しない場合には、現在の受信ステーションのスキップ操作履歴を記憶装置１０２上に作成した上で（ステップ３１４）、ステップ３０６に進む。ここで、スキップ操作履歴は、ステーション毎に対応して設けられ、各スキップ操作履歴には、後述するステップ３１２において、対応するステーションが受信ステーションとなっているときに、インターネットラジオサーバ４にスキップコマンドを発行した日時が登録される。
【００３１】
そして、このようにしてステップ３０６に進んだならば、現在の受信ステーションのスキップ操作履歴から、過去所定時間Ｍ以内に、現在の受信ステーションが受信ステーションとなっているときに、インターネットラジオサーバ４にスキップコマンドを発行した回数を算出する。ここで、所定時間Ｍは、上述のように、インターネットラジオサーバ４が、各ステーションについて、所定時間内に受け付けるスキップコマンドの数を所定数Ｎ以内に制限する動作において、上記所定時間として用いる時間である。
【００３２】
次に、過去時間Ｍ以内に、現在の受信ステーションが受信ステーションとなっているときに、インターネットラジオサーバ４にスキップコマンドを発行した回数を算出したならば、算出した回数がＮ以下であるかどうかを調べる（ステップ３０８）。ここで、回数Ｎは、上述のように、インターネットラジオサーバ４が、各ステーションについて所定時間Ｍ内に受け付けるスキップコマンドの数の上限値である。
【００３３】
そして、算出した回数がＮ以下であれば（ステップ３０８）、スキップ操作の発生をインターネットラジオクライアントに通知することにより、インターネットラジオクライアントにスキップコマンドをインターネットラジオサーバ４に発行させる（ステップ３１０）。そして、インターネットラジオクライアントからの、スキップコマンド発行の旨の応答を待って、現在の受信ステーションのスキップ操作履歴に現在日時をインターネットラジオサーバにスキップコマンドを発行した日時として登録する（ステップ３１２）。そして、ステップ３０２の監視に戻る。
【００３４】
一方、算出した回数がＮ超であれば（ステップ３０８）、ソング関連ステーション新規作成操作とアーティスト関連ステーション新規作成操作との内の予め定めておいた一方のステーション新規作成操作の発生をインターネットラジオクライアントに通知することにより、インターネットラジオクライアントにステーション新規作成コマンドをインターネットラジオサーバ４に発行させる（ステップ３１６）。そして、ステップ３０２の監視に戻る。
【００３５】
ここで、ステップ３１６の処理の結果、受信ステーションは、ステーション新規作成コマンドに応答してインターネットラジオサーバ４で新規作成されたステーションに切り替わる。そして、インターネットラジオサーバ４における、新規作成されたステーションについての過去所定時間Ｍ以内スキップコマンドの受け付け回数は当該時点において０となるので、以降、ユーザは、当該新規作成されたステーションを受信しながら、所定時間Ｍ以内に所定回数Ｎに達するまで、スキップボタン２１６の操作によって楽曲のスキップを行えるようになる。
【００３６】
また、このようにして新規作成されたステーションは、ユーザのスキップボタン２１６の操作時に出力されていた楽曲に似た楽曲や、当該楽曲のアーティストに似た楽曲がストリーミング配信されるものであるので、受信ステーションの新規作成されたステーションへの切り替えの前後で、ストリーミング配信される楽曲のティストが大きく変化することはない。すなわち、新規作成されたステーションは、その前に受信していたステーションと類似したものとなることが期待できる。そして、このステーションの切り替わりによる出力楽曲の変化は、楽曲のスキップ時と同様のものとなるため、ユーザに特段の違和感を生じさせることもない。
【００３７】
以上、インターネットラジオエージェントが行うスキップ制御処理について説明した。
ここで、図４に、このようなスキップ制御処理の処理例を示す。
ただし、ここでは、説明の簡略化のために、インターネットラジオサーバ４は、各ステーションについて、当該ステーションが受信ステーションとなっているときに、受け付けるスキップコマンドの数を、１時間あたり２回以内に制限しているものとする。
まず、ＡＶ装置１のインターネットラジオエージェントが表示する図２ａの選択画面でユーザがステーションＡを選択４０１すると、ステーション選択コマンドが携帯装置２のインターネットラジオクライアントからインターネットラジオサーバ４に発行４０２され、インターネットラジオサーバ４からステーションＡのプレイリストに登録されている各楽曲Ａｎのストリーミング配信が開始４０３される。インターネットラジオサーバ４からストリーミング配信された楽曲は、携帯装置２のインターネットラジオクライアント、ＡＶ装置１のインターネットラジオエージェントを介して、ＡＶ装置１のスピーカ１０８に出力される。
【００３８】
その後、ＡＶ装置１において、インターネットラジオサーバ４からストリーミング配信されたステーションＡの楽曲Ａ１、Ａ２が出力された後の、次の楽曲Ａ３の出力を行っているときに、ユーザがスキップボタン２１６の最初の操作４０４を行うと、ＡＶ装置１のインターネットラジオエージェントから携帯装置２のインターネットラジオクライアントにスキップ操作４０５が通知され、携帯装置２のインターネットラジオクライアントからインターネットラジオサーバスキップコマンドが発行４０６される。
【００３９】
そして、これにより、インターネットラジオサーバ４からの楽曲Ａ３のストリーミング配信は途中で中止され、次の楽曲Ａ４以降の各楽曲のストリーミング配信が開始される。
次に、その後、ＡＶ装置１において楽曲Ａ１２を出力しているときに、ユーザがスキップボタン２１６の２回目の操作４０７を行うと、ＡＶ装置１のインターネットラジオエージェントから携帯装置２のインターネットラジオクライアントにスキップ操作が通知４０８され、携帯装置２のインターネットラジオクライアントからインターネットラジオサーバ４にスキップコマンドが発行４０９される。
【００４０】
そして、これにより、インターネットラジオサーバ４からの楽曲Ａ１２のストリーミング配信は途中で中止され、次の楽曲Ａ１３以降の各楽曲のストリーミング配信が開始される。
また、さらに、その後、ＡＶ装置１において楽曲Ａ１４を出力しているときに、ユーザがスキップボタン２１６の３回目の操作４１０を行うと、この時点で、過去１時間以内に、ステーションＡが受信ステーションとなっているときに発行したスキップコマンドの数はインターネットラジオサーバ４の制限の上限値２となっているので、ＡＶ装置１のインターネットラジオエージェントは、スキップ操作に代えてソング/アーティスト関連ステーション新規作成操作を、携帯装置２のインターネットラジオクライアントに通知４１１する。そして、当該通知を受けた携帯装置２のインターネットラジオクライアントは、ステーション新規作成コマンドをインターネットラジオサーバ４に発行４１２する。
【００４１】
ステーション新規作成コマンドを受信したインターネットラジオサーバ４は、新規ステーションＸを作成し、新規ステーションＸのプレイリストに登録されている各楽曲Ｘｎのストリーミング配信を開始４１３する。ここで、新規ステーションＸのプレイリストは、キップボタン２１６の３回目の操作４１０が行われていたときに出力していた楽曲Ａ１４に似た楽曲、または、楽曲Ａ１４のアーティストに似たアーティストの楽曲が登録されたものとなっている。また、このステーションＡから、新規ステーションＸへの切り替わりによる出力楽曲の変化は、楽曲のスキップ時と同様のものとなるため、ユーザに特段の違和感を生じさせることもない。
【００４２】
さて、このようにして、新規ステーションＸのプレイリストに登録されている楽曲のストリーミング配信が開始されると、新規ステーションＸについての過去１時間以内のスキップコマンドの受け付け回数は当該時点において０となるので、ユーザは、再度、図中４１４-４１６に示すようにスキップボタンの操作４１４による楽曲のスキップを行えるようになる。
【００４３】
以上、本発明の実施形態について説明した。
ところで、以上の実施形態では、スキップコマンド発行回数の制限回数に達した後のスキップボタン２１６の操作に応答して、ステーション新規作成コマンドをインターネットラジオサーバ４に要求し、インターネットラジオサーバ４においてスキップボタン２１６の操作時に出力中であった楽曲（または、楽曲のアーティスト）に似た楽曲（または、識別情報が示すアーティストに似たアーティストの楽曲）を登録したプレイリストを持つ新規ステーションを作成するようにしたが、スキップボタン２１６の操作時に出力中であった楽曲（または、楽曲のアーティスト）はユーザの嗜好に合わない楽曲（または、アーティスト）であるとも考えられるので、このようなスキップコマンド発行回数の制限回数に達した後のスキップボタン２１６の操作に応答した新規ステーションの作成は以下のように行うようにしてもよい。
【００４４】
すなわち、インターネットラジオエージェントはスキップ制限処理のステップ３１０において、ソング関連ステーション新規作成操作（または、アーティスト関連ステーション新規作成操作）の発生をインターネットラジオクライアントに通知する際に、当該通知がスキップボタン２１６の操作に応答して行うものであることを併せてインターネットラジオクライアントに通知する。
【００４５】
そして、インターネットラジオクライアントは、ソング関連ステーション新規作成操作の発生をインターネットラジオエージェントから通知されたときに、当該通知がスキップボタン２１６の操作に応答して行われたものであることが併せて通知されている場合には、現在出力中の楽曲の直前に楽曲の最後まで再生出力を完了した楽曲の識別情報を伴うステーション新規作成コマンドをインターネットラジオサーバ４に発行することにより、インターネットラジオサーバ４においてステーション新規作成コマンドに応答して作成される新規ステーションのプレイリストを、ユーザがスキップボタン２１６を操作したときに出力中の楽曲の直前に楽曲の最後まで再生出力を完了した楽曲に似た楽曲が登録されているものとする。
【００４６】
同様に、インターネットラジオクライアントは、アーティスト関連ステーション新規作成操作の発生をインターネットラジオエージェントから通知されたときに、当該通知がスキップボタン２１６の操作に応答して行われたものであることが併せて通知されている場合には、現在出力中の楽曲の直前に楽曲の最後まで再生出力を完了した楽曲のアーティストの識別情報を伴うステーション新規作成コマンドをインターネットラジオサーバ４に発行することにより、インターネットラジオサーバ４においてステーション新規作成コマンドに応答して作成される新規ステーションのプレイリストを、ユーザがスキップボタン２１６を操作したときに出力中の楽曲の直前に楽曲の最後まで再生出力を完了した楽曲のアーティストに似たアーティストの楽曲が登録されているものとする。
【００４７】
また、以上の実施形態では、インターネットクライアントがステーション新規作成コマンドに楽曲やアーティストの識別情報を含めて発行することにより、インターネットラジオサーバ４において、新規作成コマンド発行時に出力中であった楽曲や、当該楽曲のアーティストを識別するようにしたが、これは、ステーション新規作成コマンドに楽曲やアーティストの識別情報は含めずに、インターネットラジオサーバ４においてストリーミング配信の状態や履歴から、ステーション新規作成コマンド発行時に出力中であった楽曲や、当該楽曲のアーティストを識別するようにすることもできる。
【００４８】
また、以上の実施形態におけるインターネットラジオエージェントは、図３のスキップ制御処理のステップ３１６で発行したステーション新規作成コマンドにより作成された新規ステーションの受信が、前記所定時間Ｍ以上連続して継続された場合に、当該新規ステーションの受信以前に受信していたステーションを選択するステーション選択コマンドをインターネットクライアントを介して発行することにより、受信するステーションを、新規ステーションの受信開始以前に受信していた元のステーションに自動的に復帰するように構成してもよい。
【符号の説明】
【００４９】
１…ＡＶ装置、２…携帯装置、３…ＷＡＮ、４…インターネットラジオサーバ、１０１…チューナ、１０２…記憶装置、１０３…外部装置インタフェース、１０４…ＡＶデコーダ、１０５…制御部、１０６…出力制御部、１０７…表示装置、１０８…スピーカ、１０９…入力装置。
【図１】
2012060307.tif 000003
【図２】
2012060307.tif 000004
【図３】
2012060307.tif 000005
【図４】
2012060307.tif 000006